(57)【特許請求の範囲】
【請求項１】
コンタクトレンズの光学範囲領域Ａの外側の外周部表面に凹部１と凸部２が環状に形成されており、凸部２が凹部１の外側に位置すること、及び凸部２の山の頂点の位置がコンタクトレンズの周辺から0.１〜1.１mmの位置にあり、凹部１の谷底の位置がコンタクトレンズの周辺から0.２〜1.２mmの位置にあること、並びに、凹部１の谷の角度α及び凸部２の山の角度βがいずれも６０〜１７０度であること、凹部におけるレンズの厚さがレンズの最大厚さの半分より大であり、凹部の谷底と凸部の頂点の高低差が凹部におけるレンズの厚さより小であることを特徴とするコンタクトレンズ。
【発明の詳細な説明】
【０００１】
【発明の属する技術分野】
本発明は、コンタクトレンズ、特にハードコンタクトレンズの新規な形状に関する。
【０００２】
【従来の技術】
ハ−ドコンタクトレンズは光学的に優れ、レンズ形状の安定性、そして取扱いの簡便性から視力矯正の方法として広く利用されている。コンタクトレンズ装用時のレンズの動きや静止位置は、安全で快適に装用が可能かを左右する重要な判断基準である。しかし、個々の眼で角膜形状や眼瞼の形状が微妙に異なっており、個々の角膜形状や眼瞼の形状に合うように、コンタクトレンズの形状が成形されなければ、その動きや静止位置は適切な状態とならない。
【０００３】
コンタクトレンズ装用時、レンズは瞬きに伴い角膜上を動く。このレンズの動きは、コンタクトレンズと角膜の間に存在する涙液の交換を適切に行わせて角膜の良好な生理的状態を確保するため重要である。また、レンズの安定静止位置も、良好な視力を得るために重要である。瞬きによるレンズの動きや静止安定位置が不適切な場合、レンズ装用の継続が困難になったり、異物感が強くなる場合がある。このような場合、レンズ直径の変更、レンズ内面カ−ブの外周部の曲率の変更、角膜からレンズ周辺部先端部の距離の調整等を行う。またレンズの前面に溝切り加工を行うこともある。
【０００４】
溝切り加工の方法は、前後面そしてエッジまで加工されたコンタクトレンズを吸引型旋盤に吸着し、回転させながらレンズのセンタ−リングを行う。吸引型旋盤に取り付けられている治具（バイト）の先端（形状＝Ｖ字型）をレンズ前面に接触させ、旋盤の回転を活用し円形の溝を切り込む。その切削の量によって溝の深さが決定され、旋盤の回転中心軸と治具先端までの最短距離で溝の円半径（直径）が決定される。この溝切り加工により、特にコンタクトレンズ装用時のレンズの動きや静止位置が改善され、装用時間の延長や装用感の改善に寄与するケ−スが多い。
【０００５】
しかし、人の眼の大きさや形状は、体重や身長と同様に一義的な寸法範囲に限定出来ない。よって、個々に異なる大きさや形状の眼に装用されるコンタクトレンズの形状は個々の眼に合わせて設計するのが、本来のコンタクトレンズ設計である。このようにコンタクトレンズの直径、寸法範囲などですら、一義的に限定されるべきではない。さらに、コンタクトレンズの外周部に行う溝の位置やその形状も、個々の眼の大きさや形状によって決定すべきものである。従って、仮にこのような事を考慮せずに溝切り加工を行ったとしても、その改善効果が半減したり、逆に、マイナスの悪い面が出る可能性すらある。すなわち、個々の眼の形状に合わせてレンズ直径、周辺部からの溝の位置、溝の幅、深さ、角度によってその形状を決定して、溝切り加工を行うことが求められる。
【０００６】
【発明が解決しようとする課題】
この際、これまでの溝切り加工の方法では、その都度、治具先端の位置や、旋盤回転軸に対する治具の向き（角度）を変更するか、もしくは治具を指定された先端形状のものに変更する必要がある。このため、この加工は非常に煩雑である。また、レンズに鋭角な溝が入るため物理的強度の低下も免れない場合もある。さらに溝切り加工によって装用状態の改善は計れるが、その最深部の形状が鋭角になっており、涙の分泌物が溝に蓄積し易く、装用後の洗浄に充分な注意を要していた。
本発明は、個々に異なる角膜や瞼の形状の眼に対して、常に安定して、適切な状態で使用でき、洗浄も容易であるコンタクトレンズを提供することを目的とする。
【０００７】
【課題を解決するための手段】
本発明は、コンタクトレンズ前面の外周部の領域に凹凸を設けることにより、上記目的を達成した。即ち、本発明のコンタクトレンズは、光学範囲領域Ａの外側の外周部表面に凹部と凸部が環状に形成されており、上記凸部が上記凹部の外側に位置しすること、及び上記凸部の山の頂点の位置がコンタクトレンズの周辺から0.１〜1.１mmの位置にあり、上記凹部の谷底の位置がコンタクトレンズの周辺から0.２〜1.２mmの位置にあること、並びに、上記凹部の谷の角度α及び凸部の山の角度βがいずれも６０〜１７０度であること、凹部におけるレンズの厚さがレンズの最大厚さの半分より大であり（半分以下にならないようにする）、凹部の谷底と凸部の頂点の高低差が凹部におけるレンズの厚さより小であることに特徴を有するものである。
【０００８】
本発明におけるコンタクトレンズは、外周部に設けられた凸部が、瞬きによってレンズを上方に安定さす効果を発揮し、凹部には、涙液が滞留しやすく、上眼瞼と接触するとレンズと上眼瞼間に毛管現象および瞬きによって適度な陰圧が生じ、レンズの動きが安定され、かつレンズ静止位置も安定されるものとなる。
【０００９】
凸部の山の角度βが、３０度より鋭角となると、上眼瞼への刺激が強まり、快適な装着感を得ることができず、また、凹部の谷の角度αが３０度より狭くなると、涙液の分泌物が蓄積した場合、それを取り除くのが困難である。凸部の山及び凹部の谷の角度β、αは、いずれも６０〜１７０度、特に８０〜１６０度程度であるのが好ましい。
【００１０】
なお、本発明における凹部の谷の位置及び角度とは、コンタクトレンズを直径方向に切断した断面における、コンタクトレンズの光学範囲領域Ａの外側に存在する凹部の谷底の位置とその角度を示す。また、凸部の山の位置及び角度とは、この凹部の外側に位置する凸部の頂点の位置及びその角度を示す。
【００１１】
一般に、本発明では、凹部の谷底が、コンタクトレンズの光学範囲領域Ａの外周辺Ｊと外周部の周辺部Ｉを結ぶ曲線（コンタクトレンズの中心軸上に中点を有する円弧）上又はその下に位置し、凸部の頂点は、この曲線から突出するように形成するのが好ましい。
【００１３】
【発明の実施の形態】
次に、図面に示す実施例に従って、本発明を説明する。図１〜図４は、本発明に従ったハードコンタクトレンズの断面図である。いずれの製品も、光学範囲領域Ａの外周囲に、外側の外周部表面に凹部１と凸部２が環状に形成されているものである。
【００１４】
図１及び図３の製品は、凹部１の谷底１ａは、コンタクトレンズの光学範囲領域Ａの外周辺Ｊと外周部の周辺部Ｉを結ぶ曲線（コンタクトレンズの中心軸上に中点を有する円弧）より下に位置し、図２及び図４の製品の凹部１の谷底１ａは、該曲線上に位置する。
【００１５】
また、凸部２の頂点２ａは、図１〜図４いずれの製品も、上記曲線より上に位置するようになっている。
本発明の製品の直径、凹部１及び凸部２の位置（レンズ周辺からの位置）及びその谷又は山の角度α、βは、個々に大きさ及び形状の異なる眼に合わせて設計されるので、一義的に限定できないが、代表例として、図１〜図４の製品の数値を掲げると下記の通りである。
【００１６】
0003780033.tif 000002
【００１７】
かかる製品はいずれも、任意にレンズの周辺形状に対応して容易に加工できるものであり、上眼瞼が凸部２と接触して、瞬きによってレンズを上方に安定させる効果があり、また、凹部１には、涙液が滞留しやすい。更に、上眼瞼と接触するとレンズと上眼瞼間には毛管現象および瞬きによって適度な陰圧が生じ、レンズの動きが安定化され、かつレンズ静止位置も安定化される。非常に装用性に優れるものである。
【００１８】
【発明の効果】
本発明の製品は、コンタクトレンズの直径や屈折度数、そして後面の形状等がどのようなものであっても、容易に製造できる。また、本発明の製品は、常に、安定して装用でき、しかも、涙の分泌物が蓄積した場合であっても容易に洗浄出来る。
【図面の簡単な説明】
【図１】本発明の一例を示す要部断面図である。
【図２】本発明の一例を示す要部断面図である。
【図３】本発明の一例を示す要部断面図である。
【図４】本発明の一例を示す要部断面図である。
【符号の説明】
１    凹部
１ａ  谷底
２    凸部
２ａ  頂上
Ａ    光学範囲領域
Ｊ    外周辺
Ｉ    周辺部
【図１】
0003780033.tif 000003
【図２】
0003780033.tif 000004
【図３】
0003780033.tif 000005
【図４】
0003780033.tif 000006